(57)【要約】【課題】ケーブルの引出方向の変更が簡単且つ短時間で行えるようにしたライトアングルカメラヘッドを提供すること。【解決手段】カメラヘッドハウジング１に対して回動可能にされているケーブルハウジング３を備え、このケーブルハウジング３にコネクタ４を介して接続されているケーブル５を備えたライトアングルカメラヘッドにおいて、カメラヘッドハウジング１内にある第３のリジッド基板部１３と、ケーブルハウジング３に取り付けられている第１のリジッド基板部１５の間の接続に、渦巻き状に緩く巻かれた第１のフレキシブル部１４を用いたもの。【選択図】図２
2011114475.tif 000002
【特許請求の範囲】
【請求項１】
テレビカメラを収容した円筒形ハウジングと、当該円筒形ハウジングの一方の端部に配置された撮像用のレンズと、前記円筒形ハウジングの他方の端部に当該円筒形ハウジングの中心線を回動軸として回動可能に保持されたケーブルハウジングと、前記ケーブルハウジングの側面に配置されたケーブル接続用コネクタとを備えたライトアングルカメラヘッドにおいて、
一部に幅の狭い部分を有する略矩形の第１のリジッド基板部と、当該第１のリジッド基板部の前記幅の狭い部分に横方向に延びた形で連結されている第１のフレキシブル部と、当該第１のフレキシブル部の前記幅の狭い部分とは反対側の端部に連結され前記第１のリジッド基板部の長手方向と平行に長手方向を有する略矩形の第２のリジッド基板部と、当該第２のリジッド基板部の前記第１のフレキシブル部が連結されている部分とは反対側の端部に連結された第２のフレキシブル部と、当該第２のフレキシブル部の前記第２のリジッド基板部に連結されている端部とは反対側の端部に連結された第３のリジッド基板部とを有するリジッドフレキシブル基板を用い、
前記第１のフレキシブル部が渦巻き状態になるようにして前記リジッドフレキシブル基板を前記円筒形ハウジングの中に収容することにより、前記テレビカメラ本体と前記ケーブル接続用コネクタの間の回路接続が与えられるように構成したことを特徴とするライトアングルカメラヘッド。
【発明の詳細な説明】
【技術分野】
【０００１】
本発明は、比較的小型のテレビカメラヘッドに係り、特にカメラヘッドに接続されるケーブルの引出方向が当該カメラヘッドの撮像方向と直角になったライトアングルカメラヘッドに関する。
【背景技術】
【０００２】
テレビカメラを用いた監視システムの普及は、近年、とみに目覚ましくなっているが、これに伴ってテレビカメラの小型化に対する要求も厳しくなっている。
このとき、カメラヘッドについては、撮像用センサの小型化が著しく、しかも撮像感度も飛躍的に増大されているので、光学系も含めてカメラ本体の小型化は比較的容易で、屋外など耐候性が要求されるカメラヘッドの場合でも容易に対応ができる。
【０００３】
しかし、ここで特に問題になるのはカメラヘッドとケーブルを接続するコネクタの小型化である。
屋外など耐候性が要求されるカメラヘッドの場合、コネクタについては、信頼性保持の観点から小型化が難しく、このため、カメラヘットに対して相対的にコネクタが大きくなってしまう。
【０００４】
また、監視システムなどでは、モニタ範囲確保の観点からテレビカメラの設置位置に制約を受けるのは好ましくなく、このため設置スペースに対して大きな自由度をもったカメラヘッドが要求され、これに応じて、カメラの撮像方向に対して直角の方向からカメラケーブルが接続できるようにした、いわゆるライトアングルカメラが知られており、ここで、このライトアングルカメラの一例について示したのが図４である。
【０００５】
この図４に示したテレビカメラヘッドは、円筒形のカメラヘッドハウジング１の中にテレビカメラ本体を収容し、その一方の端部に撮像用のレンズ２を設け、反対側の端部にはケーブルハウジング３を設け、このケーブルハウジング３の側面にコネクタ４を設け、これによりテレビカメラに対するケーブル５の接続が得られるようにした場合の一例であり、このとき、ケーブルハウジング３は、カメラヘッドハウジング１に対して、例えば嵌合構造などにより回動可能に保持されている。
【０００６】
そして、この例では、ケーブルハウジング３は、カメラハウジング１に対して矢印Ｈで示す方向に、所定の角度範囲で任意に回動させた後、そこで固定できるように構成してあり、この結果、カメラによる撮像方向に対して直角な方向のいずれの角度からもケーブル５が引き出されている形にできるので、設置スペースの形状に対する順応性が改善され、設置場所に制約を受ける虞が少なくて済む。
【０００７】
一方、テレビカメラなどの電子機器の回路基板として、リジッドフレキ基板(リジッドフレキシブル基板)を用いる技法も、従来からよく知られていて、テレビカメラの小型化に寄与している(例えば特許文献１、２などを参照)。
なお、ここで、このリジッドフレキシブル基板とは、リジッド基板部分をフレキシブル部分により連結し、フレキシブル部分に形成されている配線により相互に接続されるようにした回路基板のことで、このときリジッド基板とは剛性の高い基板、つまりリジッド(rigid)な基板のことで、フレキシブル基板とは柔軟な基板、つまりフレキシブル(flexible)な基板のことである。
【先行技術文献】
【特許文献】
【０００８】
【特許文献１】特開２００４−２９６５２号公報
【特許文献２】特開２００７−２８１５７５号公報
【発明の概要】
【発明が解決しようとする課題】
【０００９】
上記従来技術は、ケーブルの引出方向の変更に煩雑な作業を伴う点に充分な配慮がされているとはいえず、監視システムの施工や改装に多大の労力と作業時間が要求されてしまうという問題があった。
従来技術の場合、ケーブルの引出方向を変えるため、ケーブルハウジングをカメラヘッドハウジングに対して回動させるためには、カメラヘッドハウジングの中でケーブルアセンブリの付け替えを行う必要があり、このため多大の労力と作業時間が要求されてしまうという問題が生じてしまうのである。
【００１０】
本発明は、上記従来技術の問題点に鑑みてなされたもので、その目的は、ケーブルの引出方向の変更が簡単且つ短時間で行えるようにしたライトアングルカメラヘッドを提供することにある。
【課題を解決するための手段】
【００１１】
上記目的は、テレビカメラを収容した円筒形ハウジングと、当該円筒形ハウジングの一方の端部に配置された撮像用のレンズと、前記円筒形ハウジングの他方の端部に当該円筒形ハウジングの中心線を回動軸として回動可能に保持されたケーブルハウジングと、前記ケーブルハウジングの側面に配置されたケーブル接続用コネクタとを備えたライトアングルカメラヘッドにおいて、一部に幅の狭い部分を有する略矩形の第１のリジッド基板部と、当該第１のリジッド基板部の前記幅の狭い部分に横方向に延びた形で連結されている第１のフレキシブル部と、当該第１のフレキシブル部の前記幅の狭い部分とは反対側の端部に連結され前記第１のリジッド基板部の長手方向と平行に長手方向を有する略矩形の第２のリジッド基板部と、当該第２のリジッド基板部の前記第１のフレキシブル部が連結されている部分とは反対側の端部に連結された第２のフレキシブル部と、当該第２のフレキシブル部の前記第２のリジッド基板部に連結されている端部とは反対側の端部に連結された第３のリジッド基板部とを有するリジッドフレキシブル基板を用い、前記第１のフレキシブル部が渦巻き状態になるようにして前記リジッドフレキシブル基板を前記円筒形ハウジングの中に収容することにより、前記テレビカメラ本体と前記ケーブル接続用コネクタの間の回路接続が与えられるようにして達成される。
【発明の効果】
【００１２】
本発明によれば、ケーブルハウジングの回動に際してカメラハウジング内での作業が不要になるので、ライトアングル構造のカメラヘッドにおけるケーブルの向きの変更が容易になり、この結果、監視システムの施工や改装にも簡単に対応することができる。
【図面の簡単な説明】
【００１３】
【図１】本発明に係るライトアングルカメラヘッドの実施形態を示す横断面図である。
【図２】本発明に係るライトアングルカメラヘッドの実施形態を示す縦断面図である。
【図３】本発明の実施形態におけるリジッドフレキシブル回路基板の展開図である。
【図４】ライトアングルカメラヘッドの一例を示す外観図である。
【発明を実施するための形態】
【００１４】
以下、本発明に係るライトアングルカメラヘッドについて、図示の実施の形態により詳細に説明する。
ここで、まず、この実施形態においても、図４に示すように、円筒形のカメラヘッドハウジング１の中にテレビカメラ本体が収容され、その一方の端部には撮像用のレンズ２があり、反対側の端部にはケーブルハウジング３が取り付けられ、回動可能に保持されていて、このケーブルハウジング３の側面にコネクタ４が設けられ、これによりテレビカメラに対するケーブル５の接続が得られるようになっている。
【００１５】
次に、図１は、本発明に係るライトアングルカメラヘッドの一実施の形態を横から見た断面図で、次に、図２は、同じく一実施形態を縦から見た断面図であり、これらの図において、１０はセンサー素子、１１は第３のリジッド基板部、１２は第２のフレキシブル部、１３は第２のリジッド基板部、１４は第１のフレキシブル部、１５は第２のリジッド基板部、１６は端子部、そして１７は端子ソケット部である。
なお、これらの図１と図２では、上記した図４の場合とは異なり、コネクタ４が、実際のものに合わせて大きく描かれている。
【００１６】
まず、センサー素子１０は、例えばＣＣＤなどの撮像素子で構成され、レンズ２により結像された被写体の画像が結像され、当該被写体による画像信号を出力する働きをし、このため、カメラヘッドハウジング１の中でレンズ２の焦点位置に保持されている。
次に、第３のリジッド基板部１１は、センサー素子１０の動作に必要な回路の一部が搭載されている回路基板で、センサー素子１０と略平行な状態で同じくカメラヘッドハウジング１の中に保持されている。
【００１７】
ここで第２のフレキシブル部１２は、折り曲げられた状態で第３のリジッド基板部１１に搭載されている回路と第２のリジッド基板部１３に搭載されている回路とを接続する働きをする。
このとき第２のリジッド基板部１３は、センサー素子１０の動作に必要な回路の残りの一部と画像処理回路が搭載されている回路基板で、図示のように、第３のリジッド基板部１１とは略直角な状態で同じくカメラヘッドハウジング１の中に保持されている。
【００１８】
次に、第１のフレキシブル部１４は、図２に明瞭に表われているように、第２のリジッド基板部１３から渦巻き状に緩く巻かれた状態で第１のリジッド基板部１５に連結されている。
これにより第１のフレキシブル部１４は、第２のリジッド基板部１３に搭載されている回路と第１のリジッド基板部１５に搭載されている回路とを接続する働きをし、このとき第１のリジッド基板部１５には、このカメラヘッドに接続される外部回路とのインターフェースのための回路などが搭載され、これによりテレビカメラ本体に対する電源の供給と、テレビカメラ本体からの画像信号の取り出しが行えるようになっている。
【００１９】
このとき第１のリジッド基板部１５は、これも図２に明瞭に表われているように、第２のリジッド基板部１３とは略直角な状態でケーブルハウジング３の中に保持されている。
そして、この第１のリジッド基板部１５には、ケーブルハウジング３に設けてあるコネクタ４に向かっている方の面に端子部１６が取り付けてあり、これに合わせて、コネクタ４のケーブルハウジング３内に位置する部分には端子ソケット部１７が取り付けられており、これにより端子部１６が端子ソケット部１７に嵌合され、この結果、第１のリジッド基板部１５に搭載されている回路がケーブル５に接続されることになる。
【００２０】
次に、この実施形態において使用されているリジッドフレキシブル基板について説明する。
上記したように、このリジッドフレキシブル基板とは、リジッド基板部分をフレキシブル部分により連結し、フレキシブル部分に形成されている配線により相互に接続されるようにした回路基板のことであり、従って、ここでは、第１のリジッド基板部１５と第１のフレキシブル部１４、第２のリジッド基板部１３、第２のフレキシブル部１２、それに第３のリジッド基板部１１の総称である。そして、その展開図が図３である。
【００２１】
図３では、リジッドフレキシブル基板に符号１００が付してある。
そして、このリジッドフレキシブル基板１００において、まず、第１のリジッド基板部１５は、一部に幅の狭い部分を有する略矩形のリジッド基板部分として形成したものであり、次に、第１のフレキシブル部１４は、第１のリジッド基板部１５の幅の狭い部分から横方向に延びた形で当該部分に連結されているフレキシブル部分として形成したものである。
また、第２のリジッド基板部１３は、リジッドフレキシブル基板１００において、略矩形のリジッド基板部分として形成され、第１のフレキシブル部１４の反対側の端部に連結されているものである。
【００２２】
次に、第２のフレキシブル部１２は、リジッドフレキシブル基板１００において、第２のリジッド基板部１３の端部で、第１のフレキシブル部１４が連結されている部分とは反対側の端部に連結されたフレキシブル部分として形成したものである。
そして、第３のリジッド基板部１１は、リジッドフレキシブル基板１００において、第２のフレキシブル部１２の端部で、第２のリジッド基板部１３に連結されている端部とは反対側の端部に連結されたリジッド基板部分として形成したものである。
【００２３】
そして、このリジッドフレキシブル基板１００は、第２のフレキシブル部１２が略直角に折り曲げられ、第１のフレキシブル部１４が第１のリジッド基板部１５の幅の狭い部分に渦巻き状に緩く巻かれた状態にしてカメラヘッドハウジング１の中に挿入された後、第１のリジッド基板部１５が第２のリジッド基板部１３に対して略直角になるように(図示の場合)してケーブルハウジング３の中に納められ、その端子部１６がコネクタ４に設けてある端子ソケット部１７に嵌合されるようになっている。
【００２４】
そうすると、この実施形態の場合、第１のリジッド基板部１５を第２のリジッド基板部１３に対して回動させたとしても、第１のフレキシブル部１４の渦巻き状に巻かれた部分が回動方向に応じて緩んだり締まったりするだけであり、第１のリジッド基板部１５と第２のリジッド基板部１３の接続状態には何も影響が生じない。
そこで、この実施形態によれば、カメラヘッドハウジング１とケーブルハウジング３を相対的に回動させる際、カメラヘッドハウジング１の中でケーブルアセンブリの付け替えを行ったりする必要は何もなく、そのまま回動させることができることになる。
【００２５】
従って、この実施形態によれば、ライトアングル構造のカメラヘッドにおけるケーブルの向きの変更が容易になり、この結果、監視システムの施工や改装にも簡単に対応することができる。
【符号の説明】
【００２６】
１  カメラヘッドハウジング(テレビカメラの筐体)
２  レンズ(テレビカメラの撮像用のレンズ)
３  ケーブルハウジング(テレビカメラのケーブル接続用の筐体)
４  コネクタ(カメラケーブルの接続用)
５  ケーブル(テレビカメラのケーブル)
１０  センサー素子
１１  第３のリジッド基板部
１２  第２のフレキシブル部
１３  第２のリジッド基板部
１４  第１のフレキシブル部
１５  第１のリジッド基板部
１６  端子部
１７  端子ソケット部
１００  リジッドフレキシブル基板
【図４】
2011114475.tif 000003
【図１】
2011114475.tif 000004
【図２】
2011114475.tif 000005
【図３】
2011114475.tif 000006